(57)【要約】      （修正有）【課題】壁紙糊付機に供給される壁紙に糊付される糊量による糊の減少分を制御装置を介して自動補充する壁紙糊付機における自動糊供給方法を提供する。【解決手段】壁紙糊付機に供給される壁紙に糊付される糊量による糊の減少分を制御装置を介して自動補充する壁紙糊付機における自動糊供給方法であって、糊箱の満タン高さの液面から一定量減少した制御領域上限高さと、糊切れ高さから一定量補充した制御領域下限高さにより規定される制御糊量から、糊供給装置を起動し、制御糊量の糊を補充するための起動時間を求め、制御糊量と糊付けされる糊厚等から塗布可能壁紙長さを算出して警告長さを求め、壁紙の糊付け長さが、前記警告長さに達すると、起動時間で糊供給装置を起動させて、予め定めた一定量の糊を補充するようにした。【選択図】図２
2008289956.tif 000002
【特許請求の範囲】
【請求項１】
壁紙糊付機に供給される壁紙に糊付される糊量による糊の減少分を制御装置を介して自動補充する壁紙糊付機における自動糊供給方法であって、制御装置は、糊供給装置に起動／停止指令を出す為の入力手段、糊供給装置に起動／停止指令を出す出力手段、検尺パルスから糊付した壁紙長を算出する算出手段、及び糊供給量補正手段を有し、糊箱の満タン高さの液面から一定量減少した制御領域上限高さと、糊切れ高さから一定量補充した制御領域下限高さにより規定される制御糊量から、糊供給装置を起動し、制御糊量の糊を補充するための起動時間を求め、制御糊量と糊付けされる糊厚等から塗布可能壁紙長さを算出して警告長さを求め、糊が塗布された壁紙の糊付け長さが、前記警告長さに達すると、制御部は、前記起動時間で糊供給装置を起動させて、予め定めた一定量の糊を補充し、補充量が制御領域上限高さに達しているかまた前記高さより増減しているかを判別し、増減している場合には制御領域上限高さに補充する糊供給装置の起動時間を補正することを特徴とする壁紙糊付機における自動糊供給方法。
【請求項２】
入力手段は、糊補充量の不足、過多及び適正等を入力するスイッチ手段を有し、起動時間を補正することを特徴とする請求項１記載の壁紙糊付機における自動糊供給方法。
【請求項３】
糊供給装置の起動時間の補正は、糊供給の過不足が確認されると、不足スイッチまたは過多スイッチを押すステップと、糊供給の起動スイッチを押し、制御領域上限高さまで糊を補充するステップと、前記ステップにおいて制御領域上限高さまでに糊を補充するに要した時間を測定するステップと、前記ステップにより測定した時間から起動時間を補正する時間を求めるステップからなることを特徴とする請求項１または２記載の壁紙糊付機における自動糊供給方法。
【請求項４】
入力手段は、起動時間を自動修正するおまかせ設定スイッチを有し、おまかせ設定スイッチを押し、不足スイッチまたは過多スイッチを押すと、一定時間起動時間を増減し、制御領域下限高さを上下に移動させることを特徴とする請求項１または２記載の壁紙糊付機における自動糊供給方法。
【請求項５】
糊付長さが警告長に達すると警告を発することを特徴とする請求項１または２記載の壁紙糊付機における自動糊供給方法。
【請求項６】
壁紙糊付機に供給される壁紙に糊付される糊量による糊の減少分を制御装置を介して自動補充する壁紙糊付機における自動糊供給装置であって、制御装置は、糊供給装置に起動／停止指令を出す為の入力手段、糊供給装置に起動／停止指令を出す出力手段、検尺パルスから糊付した壁紙長を算出する算出手段、及び糊供給量補正手段を有し、糊箱の満タン高さの液面から一定量減少した制御領域上限高さと、糊切れ高さから一定量補充した制御領域下限高さにより求められる制御糊量から、糊供給装置を起動し、制御糊量の糊を補充するための起動時間を求める手段、制御糊量と糊付けされる糊厚等から塗布可能壁紙の長さを算出して警告長さを求める手段、糊が塗布された壁紙の糊付け長さが、前記警告長さに達すると、制御部は、前記起動時間で糊供給装置を起動させて、予め定めた一定量の糊を補充し、補充量が制御領域上限高さに達しているかまた前記高さより増減しているかを判別し、増減している場合には制御領域上限高さに補充する糊供給装置の起動時間を補正する手段を有することを特徴とする壁紙糊付機における自動糊供給装置。
【請求項７】
請求項６に記載された壁紙糊付機における自動糊供給装置において、ドクターローラーの軸と同軸上に偏芯カムに取設された第１歯車を設け、前記第１歯車を回転させる回転部材を軸支する回転軸に、ポテンションメータに設けた第３歯車と噛合する第２歯車を設け、ドクターローラーと糊付ローラーとの間隔の変位により、ポテンションメータを回転させ、回転部材の停止位置に比例した抵抗値を得、抵抗値をＡ／Ｄ変換することによりドクターローラーと糊付ローラーの間隔を自動的に読み取るようにした壁紙糊付機における自動糊供給装置。
【請求項８】
請求項６に記載された壁紙糊付機における自動糊供給装置において、壁紙の幅を読み取るためのフォトマイクロセンサーを壁紙糊付機の中心位置から一定距離離れた位置を起点として、壁紙糊付機の側部に向けて一定間隔で３個以上設けた壁紙糊付機における自動糊供給装置。
【発明の詳細な説明】
【技術分野】
【０００１】
この発明は、インテリア施工用の壁紙糊付機における自動糊供給に関するものである。さらに詳しくは、糊量検知装置を使用しなくても、糊の残量を適切に算出し、その補充の指示に応じて糊を自動供給する壁紙糊付機における自動糊供給方法及びその装置に関するものである。
【背景技術】
【０００２】
従来より、原反ロールから引き出した壁紙に糊箱内の糊をローラーよって自動的に塗布することのできる壁紙糊付機は公知である。たとえば、図１に示したように、原反ロール７から引き出した壁紙Ａの両側端をスリッター８で裁断して巾寸法を決めたのち、検尺ローラー５により長さを測定しながら送り込みローラー９によって糊付ローラー３に送り、糊箱１内の糊を糊上げローラー２を介して、またはこれを介することなく直接的に糊付ローラー３に付着させ、ドクターローラー４により糊量を調整した後に、この糊付ローラー３によって壁紙Ａに糊付けするように構成されている。
【０００３】
このような糊付機は糊付け作業に伴い減少した糊を補充するため、糊付機本体とは別体の糊供給装置１０から必要量の糊を自動供給する自動供給機構が備えられている。
【０００４】
このような糊供給機構を備えた自動糊付機は、糊付作業に伴いある程度糊が減少すると、糊供給装置１０から糊箱１の底面等に接続されたホース１１を通して糊を補充する。この糊補充のために糊箱１の糊の残量を検知する必要があり、重量センサーで糊箱１の重量を測定したり（特許文献１）、また、液面センサーで糊の液面高さを測定したり（特許文献２）する方法が採られている。
【０００５】
以下、従来の糊自動供給方法について説明する。
【０００６】
糊箱１内の糊の液面は糊付作業時には糊上げローラー２や糊付ローラー３の回転により、壁紙の進行方向の液面が高くなる。このため、糊箱１内に充填される糊の量は糊付作業時に高くなった液面が糊箱の壁面を超えない範囲に制限される。
【０００７】
糊付作業中に糊が減少し、糊切れ時の高さの手前の高さまで液面が減少した時点で糊の補充を開始する。また、補充した液面の高さが満タン高さの手前の高さに達した時点で糊の補充を停止する。図１４は糊箱の重量を重量センサーで測定した場合の糊の供給を示したグラフである。
【０００８】
図１５に示す糊自動供給の場合は、糊箱１内に満たされた糊の液面高さが、糊付作業に伴い、減少したことを液面センサー等で検知して、糊供給装置を起動させ糊の補充を行うもので、糊箱１内に満タン高さに満たされた糊の液面高さ（図１５の（ａ）の状態）が、糊付作業に伴い、液面が降下し、センサーＳｎがＯＦＦとなった時点（図１５の（ｂ）の状態）で、糊供給装置を起動させ糊の補充を行うものである。この場合、液面高さが上昇し制御領域上限センサーＳｎに接触した時点で、糊供給装置を停止させ糊の補充を完了するのである。
【特許文献１】実開平７−４４６７５号公報
【特許文献２】特開２００１−３００３７８号公報
【発明の開示】
【発明が解決しようとする課題】
【０００９】
このような壁紙糊付機は内装工事の施工現場で使用されるが、糊付作業時に壁紙糊付機が設置される場所は必ずしも水平ではなく、一方、壁紙糊付機は施工現場間の移動を容易にするため軽量化されており、機械自体にレベル出し装置を有していない。そのため、壁紙糊付機が水平に設置されない場合が多く、糊箱内部の糊の移動が生じ、重量センサーや液面センサーによる測定が不正確な結果を招いている。また、施工現場間の移動や輸送時に糊箱が振動するため、センサーが壊れたり、また狂ったりすることがあり、センサーの精度の維持が困難である。また、糊箱１内に取り付けられた液面センサーは清掃等の目的で糊付機本体から糊箱１を取り出すときには糊箱１から取り外さなければならず、通常この種の液面センサーには電気信号を取り出すための電線が接続されているため、その取り外しや、その後の取り扱いは一層煩雑なものとなる。
【課題を解決するための手段】
【００１０】
本発明は、上記課題を解決するため、壁紙糊付機に供給される壁紙に糊付される糊量による糊の減少分を制御装置を介して自動補充する壁紙糊付機における自動糊供給方法であって、制御装置は、糊供給装置に起動／停止指令を出す為の入力手段、糊供給装置に起動／停止指令を出す出力手段、検尺パルスから糊付した壁紙長を算出する算出手段、及び糊供給量補正手段を有し、糊箱の満タン高さの液面から一定量減少した制御領域上限高さと、糊切れ高さから一定量補充した制御領域下限高さにより規定される制御糊量から、糊供給装置を起動し、制御糊量の糊を補充するための起動時間を求め、制御糊量と糊付けされる糊厚等から塗布可能壁紙長さを算出して警告長さを求め、糊が塗布された壁紙の糊付け長さが、前記警告長さに達すると、制御部は、前記起動時間で糊供給装置を起動させて、予め定めた一定量の糊を補充し、補充量が制御領域上限高さに達しているかまた前記高さより増減しているかを判別し、増減している場合には制御領域上限高さに補充する糊供給装置の起動時間を補正することを特徴とする。
【００１１】
また、入力手段は、糊補充量の不足、過多及び適正等を入力するスイッチ手段を有し、起動時間を補正することを特徴とする。
【００１２】
また、糊供給装置の起動時間の補正は、糊供給の過不足が確認されると、不足スイッチまたは過多スイッチを押すステップと、糊供給の起動スイッチを押し、制御領域上限高さまで糊を補充するステップと、前記ステップにおいて制御領域上限高さまでに糊を補充するに要した時間を測定するステップと、前記ステップにより測定した時間から起動時間を補正する時間を求めるステップからなることを特徴とする。
【００１３】
また、入力手段は、起動時間を自動修正するおまかせ設定スイッチを有し、おまかせ設定スイッチを押し、不足スイッチまたは過多スイッチを押すと、一定時間起動時間を増減し、制御領域下限高さを上下に移動させることを特徴とする。
【００１４】
また、糊付長さが警告長に達すると警告を発することを特徴とする。
【００１５】
また、壁紙糊付機に供給される壁紙に糊付される糊量による糊の減少分を制御装置を介して自動補充する壁紙糊付機における自動糊供給装置であって、制御装置は、糊供給装置に起動／停止指令を出す為の入力手段、糊供給装置に起動／停止指令を出す出力手段、検尺パルスから糊付した壁紙長を算出する算出手段、及び糊供給量補正手段を有し、糊箱の満タン高さの液面から一定量減少した制御領域上限高さと、糊切れ高さから一定量補充した制御領域下限高さにより求められる制御糊量から、糊供給装置を起動し、制御糊量の糊を補充するための起動時間を求める手段、制御糊量と糊付けされる糊厚等から塗布可能壁紙の長さを算出して警告長さを求める手段、糊が塗布された壁紙の糊付け長さが、前記警告長さに達すると、制御部は、前記起動時間で糊供給装置を起動させて、予め定めた一定量の糊を補充し、補充量が制御領域上限高さに達しているかまた前記高さより増減しているかを判別し、増減している場合には制御領域上限高さに補充する糊供給装置の起動時間を補正する手段を有することを特徴とする。
【発明の効果】
【００１６】
本発明の壁紙糊付機における自動糊供給方法は、糊補充のために糊の残量の検知、あるいは糊の補充量を検知するための、重量センサー、液面センサー等の糊量検知センサーを有していないので、従来の壁紙糊付機のように輸送時の振動等によるセンサーの誤動作や、使用時の据え付け面の水平に気を配る必要が無く、また、液面センサーを有する壁紙糊付機のように、清掃時等に糊箱を取り出す際に糊箱から電線の付いた糊検知センサーの取り外しや、糊付時におけるセンサーの取り付けをする必要がなく、また、センサーの誤動作による糊供給の不足、過多が発生せず、かつ糊は制御領域上限高さ下限高さで規定される制御領域内において自動供給されるので糊供給の過不足によるトラブルが発生しない自動糊供給方法と装置を提供することができる。
【発明を実施するための最良の形態】
【００１７】
以下、図１〜図１２を用い、本発明の自動糊供給方法及びその装置について説明する。図１は壁紙糊付機の概要図、図２は糊付機の断面と糊補充時の制御領域上限高さ、下限高さと制御領域を規定する説明図、図３は制御装置の機能ブロック図、図４は糊厚と糊付量の関係説明図、図５は糊補充における制御糊量と補充時間の関係説明図、図６は糊供給装置の起動時間を決めるフロー図、図７は制御糊量に糊補充をするフロー図、図８は糊補充量を補正するフロー図、図９〜図１１は糊補充時における制御糊量と補充時間の関係説明図、図１２は壁紙の幅の読み取り手段を示す概要図である。以下の説明において図１は背景技術における説明を引用し、説明を省略する。以下本発明の実施の形態を説明する。
【００１８】
図２は、壁紙糊付機の糊箱１の断面図を示し、糊箱１の上端部まで糊を入れると約６Ｋｇ入れることができ（具体的には出願人が製造販売している壁紙糊付機「ＡＴＨＬＥＡＤ  ＦＬＥＸ」）、図中の斜線部は、壁紙糊付機を稼働させて、壁紙の裏面に糊を塗布しつつ壁紙を搬送させることによる糊の消費と、糊供給装置による糊の補充を行っていった場合の糊箱内部の糊の液面の高さの変位を４つの段階に分けて、その意味づけをしたものである。
【００１９】
図において、Ｈｅは 糊切れ高さで、糊箱１が空の状態から糊を０．５Ｋｇ補充した時の、糊箱内の糊の液面高さであり、「糊切れ高さＨe 」と定め、糊切れ高さＨｅは、糊の液面の高さが糊上ローラー２の最下部付近にあり、糊上ローラー２は糊を汲み上げることができず、壁紙の裏面に糊がかすれて塗布される状態である。
【００２０】
Ｈｌは、制御領域下限高さで、糊箱１が空の状態から糊を１．５Ｋｇ補充した時の、糊箱内の糊の液面高さを示し、これを「制御領域下限高さＨｌ」と定める。
【００２１】
Ｈｈは、制御領域上限高さで、糊箱１が空の状態から糊を４．５Ｋｇ補充した時の、糊箱内の糊の液面高さを示し、これを「制御領域上限高さＨｈ」と定める。
【００２２】
Ｈｆは、満タン高さで、糊箱１が空の状態から糊を５．５Ｋｇ補充した時の、糊箱内の糊の液面高さを示し、これを「満タン高さＨｆ」と定める。
【００２３】
液面の高さが「糊切れ高さＨe 」から「満タン高さＨf 」の間にあれば、糊は糊箱１の外へ溢れることなく、また壁紙Ａの裏面に糊がかすれることなく塗布されるので、これを「有効領域」と定め、液面の高さがこの間で変位する糊の量を「有効糊量」と定義する。
つまり、満タン高さ５．５Ｋｇから糊切れ高さＨｅにおける糊の補充量０．５Ｋｇを減じた糊量５．０Ｋｇが「有効糊量」である。
【００２４】
液面の高さが「制御領域下限高さＨｌ」から「制御領域上限高さＨｈ」までの間を「制御領域」と定め、この「制御領域」の範囲内に液面の高さがある状態の糊の量を「制御糊量」と定め、液面の高さがこの間で変位する糊の量を「制御糊量」と定義する。
つまり、４．５Ｋｇから１．５Ｋｇを減じた量３．０Ｋｇが「制御糊量」である。
【００２５】
一方、壁紙の裏面の単位面積あたりに塗布されていく糊の量は、「糊の塗布厚みｔ」が厚い程多く、薄いほど少なく、また、「糊の粘度Ｖ」が濃いほど多く、薄いほど少ない。糊の消費量は「糊の塗布厚みｔ」と「糊の粘度Ｖ」の２つの条件により定まる量であり、これに「壁紙の幅Ｂ」と「糊を塗布した壁紙の長さ」とにより定まる面積を乗算した糊量が糊箱から減少していく。
【００２６】
「糊の塗布厚みｔ」は、糊上ローラー２により糊箱内部から汲み上げられ、糊付ローラー３に転写された糊を、ドクターローラー４と糊付ローラー３との隙間を可変設定することにより任意に定めることができる。ドクターローラー４と糊付ローラー３との隙間ｔは、通常０．５mm〜２．５mmの範囲であり、使用される糊の粘度Ｖは通常４２００Ｃp〜１１，０００Ｃｐの範囲である。
【００２７】
粘度Ｖが４２００Ｃpの糊を使った場合と、８５００Ｃpの糊を使った場合と、１１０００Ｃpの糊を使った場合とについて、ドクターローラー４と糊付ローラー３との隙間を０．５mm〜２．５mmの範囲で設定を変化させていった場合に、壁紙の裏面に塗布される糊の量を単位平方ｍ当たりのｇ数で表したものが図４に示しているグラフである。
【００２８】
本発明の壁紙糊付機の糊箱の有効糊量は５ｋｇであり、制御糊量は３ｋｇである。
【００２９】
図４のグラフより、糊粘度ｖ＝４２００Ｃｐの糊を糊厚ｔ＝２．０ｍｍのときの単位平方ｍ当たりのｇ 数は、１６０ｇｒ／ｍ２  である。これは、下記の計算式により、「壁紙の幅Ｂ」が１メートルの壁紙の裏面に「糊付することができる長さＬＫ（メートル数）」に換算することができる。
（式１）ＬＫ＝３，０００ｇｒ÷１６０ｇｒ／ｍ２ ＝  １８．７５ｍ
【００３０】
【表１】
2008289956.tif 000003
【００３１】
表１は、この計算式によって求めた、「糊の粘度Ｖ」と「糊の塗布厚みｔ」とで定まる塗布量と「糊付することができる長さＬＫメートル数」を示し、
縦欄において、
極薄い粘度、４０００ｃＰ  以上  ６０００ｃＰ未満、
薄い粘度、６０００ｃＰ  以上  ８０００ｃＰ未満、
濃い粘度、８０００ｃＰ  以上１００００ｃＰ未満、
極濃い粘度、１００００ｃＰ  以上１２０００ｃＰ未満
に分類し、
横欄において、糊付ローラー３とドクターローラー４の隙間を、
０．０５ｍｍ以上１．０ｍｍ未満、
１．０ｍｍ  以上１．５ｍｍ未満、
１．５ｍｍ  以上２．０ｍｍ未満、
２．０ｍｍ  以上２．５ｍｍ未満、
２．５ｍｍ  以上３．０ｍｍ未満
に分類している。
【００３２】
本発明では、表１に示す「糊の粘度Ｖ」と、「糊の塗布厚みｔ」、「糊付け長」及び「壁紙の幅」で規定される「糊付可能長さＬＫ」を予め図３に示す壁紙糊付機の制御部に記憶させておく。
【００３３】
また、表１は、「壁紙の幅Ｂ」を１ｍとした場合の「糊付可能長さＬＫメートル数」である。
【００３４】
一方、裏面に糊が塗布された壁紙の長さは、検尺ローラー５の回転により発生する検尺パルスを制御部内の演算部により逐次加算され、この逐次加算された長さを「糊付け壁紙長さＬＣメートル数」と定義する。
【００３５】
図３は本発明の制御部の機能ブロック図であり、制御部は出力部（表示部）、入力部、演算部、記憶部を備え、入力部では、次回に行う、不足、丁度よい、過多、おまかせ、割り込み、糊供給装置の起動／停止をスイッチで入力でき、予め壁紙の幅、糊の厚み、糊の粘度及びこれらから求められる糊付け可能長さ（警告長さ）が入力されている。
【００３６】
演算部は、ＣＰＵを使用したマイコンであり、検尺ローラー５が回転したときに発生する検尺パルスから糊付した壁紙の長さを算出したり、入力部からの信号を受けてモーターを回転／停止させる。記憶部は、ＲＯＭとＲＡＭから構成され、壁紙糊付機の各部の動作に関係するパラメータを記憶している。
【実施例１】
【００３７】
本発明の壁紙糊付機を使用して、糊付け作業を行う場合の、本発明の壁紙糊付機の処理の流れを、図５〜図７に従って説明する。
【００３８】
図５のグラフは、糊供給装置を起動／停止させながら、糊を糊箱１に補充させて糊付け作業を行う場合の、壁紙糊付機の制御部内の演算部及び記憶領域が認識している糊箱内の糊の液面高さの変位を表している。
【００３９】
図５の縦軸は糊箱内の糊の液面の高さを表しており、横軸は複数のローラーが回転して壁紙に糊を塗布している状態の時だけ進ませている時間軸で、ＬＫは警告長さ、ＬＣは糊付けした壁紙の長さ、ＳＴは糊供給装置の駆動時間、ＬＣ＝ＬＫは警告出力である。
【００４０】
内装施工現場において作業者が糊付け作業を開始する前に、糊供給装置１０の供給用ホース１１の先端を、壁紙糊付機の糊箱１の底面に接続して糊供給装置１０を運転させて、糊箱１の中に糊を充填する作業が行われる。糊箱１の中の糊の量（液面の高さ）は、図５のグラフのＰＥ（エンプティ）の位置にある。
【００４１】
この状態から、作業者が壁紙糊付機の制御部内の「割り込みスイッチ（図示せず）」を押し、壁紙糊付機の複数のローラーを回転させながら、「初期補充スイッチ（図示せず）」を押せば、壁紙糊付機の制御部は、糊供給装置を１５秒間運転させた後に糊供給装置の運転を停止させる。
【００４２】
この動作により、 図５のグラフのＰＥ（エンプティ）からＱ１まで、つまり、糊箱１の中の糊の高さが「制御領域上限高さＨｈ」になるまで、つまり４．５Ｋｇ糊が補充される。
【００４３】
本発明の壁紙糊付機に接続して使用する糊供給装置は、１秒間に０．３Ｋｇの糊を糊箱１に補充する能力を有し、４．５Ｋｇ補充するには１５秒間要する。この様に、糊供給装置を運転させる時間を予め定めることにより、糊の補充量が定められる。
【００４４】
糊箱１の中に糊が補充されると、糊付けをする条件が表１から選択され、糊の粘度、糊付ローラー３とドクターローラー４の隙間及び「壁紙の幅」が壁紙糊付機の制御部の入力スイッチ（図示せず）から入力される。
【００４５】
次に、作業者が、糊の粘度は「極濃い粘度」で、塗布厚みは「１．５ｍｍ」で、「壁紙の幅が１ｍ」という初期設定（「糊付可能長さ（警告長さＬＫ）」＝２０ｍ）で、総長さが５０ｍ巻きの壁紙原反をセットして糊を塗布していく動作フローを図７のフロー図に基づき説明する。
【００４６】
「極濃い粘度」の糊は通常塗布厚み１．５ｍｍ以下で糊付けされ、図７は、糊箱内の糊が減少して液面の高さが「制御領域下限高さＨｌ」になった時（つまり糊重量が１．５Ｋｇになった時）に、糊供給装置を運転させて制御糊量分３Ｋｇ補充して液面を「制御領域上限高さＨｈ」までの高さに戻すという補充動作を繰り返しながら、糊箱１に糊を補充していく動作を示す。制御糊量が３Ｋｇであるため、制御糊量分供給するために糊供給装置を起動する時間ＳＴは１０秒間であることを予め設定している。
【００４７】
糊箱内の糊の液面の高さが図５のＱ１の位置にある状態で、ステップ１１で、作業者が壁紙糊付機の制御部（入力部）から、糊付をしたい壁紙の長さを入力して、「スタートスイッチ（図示せず）」を押し、図７の処理フローがスタートする。
【００４８】
糊付する壁紙の長さは、床から天井までを１枚で貼る場合は約２３０ｃｍ、窓から下の場合は約９０ｃｍ等、その都度長さを変更し入力されるが、本実施例では、具体的な数値を用いて判りやすく説明する為に、３００ｃｍの長さを繰り返し糊付けする場合を例に挙げて説明する。
【００４９】
ステップ１１で、糊付したい壁紙の長さ、糊付け可能長さＬＫを入力し、糊付けを開始する。
【００５０】
ステップ１２で、壁紙糊付機の制御部は複数のローラーを回転させて壁紙の裏面に糊を塗布しながら壁紙を排出していく。この時、壁紙糊付機の制御部は、検尺ローラー５で発生する検尺パルスから糊付した壁紙の長さを逐次加算し、加算されている長さの合計値「糊付け壁紙長さＬＣ（メートル数）」を求める。（１枚目の糊付けが終わった直後は、ＬＣ＝３ｍとなり、２枚目の糊付けが終わった直後は、ＬＣ＝６ｍとなる。）
ステップ１３で、逐次加算された糊付け壁紙長さＬＣが、「糊付可能長さ（警告長さＬＫ）」＝２０ｍに達したかどうかを判定して、達していなければ、ステップ１５に進む。
【００５１】
ステップ１５で糊付けされた壁紙の長さ（ＬＣではない）が、ステップ１１で壁紙糊付機の制御部（入力部）に入力した糊付をしたい壁紙の長さと一致すれば、ステップ１６に進み、一致していなければステップ１２へ戻り、一致するまでステップ１２〜ステップ１５を繰り返す。
【００５２】
つまり、ステップ１１で作業者が入力した値が３００cmであり、糊を塗布した壁紙の長さが１５０cmの状態であれば、ステップ１２へ戻る。糊を塗布した壁紙の長さが３００cmに達すれば複数のローラーを停止して、ステップ１６に進む。
【００５３】
ステップ１６で、補正を行わなければステップ１１へ戻る。ステップ１６では、作業者が、糊付して排出された１枚目の壁紙をカッターナイフなどで切断する為に複数のローラーは停止して壁紙の搬送は行っていない状態である。この時、糊箱内の糊の液面の高さは図５のＱ１からＰ１の間で、ほとんどＱ１の近くの位置にある。
【００５４】
なお、糊箱内の糊の液面の高さの変位を表す図５のグラフの横軸からは、複数のローラーが停止して、作業者が壁紙をカッターナイフで切断している時間は削除している。
【００５５】
次に、糊付けをする壁紙の長さを壁紙糊付機の制御部（入力部）に入力して、再び「スタートスイッチ（図示せず）」を押すと、図７のステップ１１からの処理が始まる。
【００５６】
ステップ１３で、糊付け壁紙長さＬＣが糊付可能長さ（警告長さＬＫ）＝２０ｍと一致すれば、ステップ１４に進む。
【００５７】
つまり、長さが３００cmの壁紙ばかりの糊付けを繰り返すならば、６．６７枚を糊付けすることができるので、７枚目の糊付け動作においてステップ１１からステップ１６を実行中に、液面の高さがＰ１に達するからである。
【００５８】
この時、壁紙糊付機の制御部は、実際の糊箱内の糊の液面の高さが図５のグラフのＰ１の位置に到達していることを推定している。
【００５９】
ステップ１４では、壁紙糊付機の制御部は、予め定めていた「糊供給装置を運転する時間ＳＴ」＝１０秒間だけ糊供給装置を運転させて３Ｋｇの糊を壁紙糊付機の糊箱に充填して、液面を「制御御領域下限高さＨｌ」から「制御領域上限高さＨｈ」まで上昇させた後、「糊を供給した回数ｎ 」を１つカウントアップして壁紙糊付機の制御部内の記憶部に記憶し、逐次加算してきた「糊付け壁紙長さＬＣ」を０リセットしてステップ１５に戻るが、高速で糊付けをしている場合は、糊を補充している時間ＳＴが１０秒に達する前に７枚目の糊付けが３００ｃｍに達するので、複数のローラーを停止させ、糊の補充も途中で停止させ、残り時間分は８枚目の糊付けを実行中に補充する。
【００６０】
なお、運転させた糊供給装置の停止は別の処理（図示せず）により、時間ＳＴが合計で１０秒に達した時に行う。
【００６１】
この様に、ステップ１１〜ステップ１６の処理を繰り返し実行していく過程で、「糊付け壁紙長さＬＣ」が「糊付可能長さ（警告長さＬＫ）」＝２０ｍと一致した時、つまり、図５の液面の高さの推定値がＰ２に達した時にも同様に、壁紙糊付機の制御部は、予め定めていた「糊供給装置を運転する時間ＳＴ」＝１０秒間だけ糊供給装置を運転させて３Ｋｇの糊を壁紙糊付機の糊箱１に充填して、液面を「制御御領域下限高さＨｌ」から「制御領域上限高さＨｈ」まで（図５のＱ２）上昇させた後、「糊を供給した回数ｎ 」を１つカウントアップして壁紙糊付機の制御部内の記憶部に、逐次加算してきた「糊付け壁紙長さＬＣ」を０リセットしてステップ１５に戻る動作を繰り返すことにより、図５で示す糊の液面をＱ３、Ｐ３、Ｑ４、Ｐ４、Ｑ５、Ｐ５、Ｑ６、Ｐ６と変位させながら、壁紙の裏面に糊を適正量塗布し、また、糊箱１から糊が溢れることなく、糊付けを実行する。実際には糊付作業を実施しながら、すなわち糊を消費しながら供給するため、制御糊量を供給した液面の高さはＱ２の位置となっている。
【００６２】
また、一日に糊付する長さは多い場合で約８０ｍである。これを「極濃い粘度」と「厚み１．５ｍｍ」と「壁紙の幅１ｍ」の条件で終日行った場合には、８０ｍ／警告長さＬＫ２０ｍ＝４という計算で、つまり、図５のＱ１，Ｑ２，Ｑ３，Ｑ４までの糊量を消費して、一日の作業の終わりにはＰ４の「制御御領域下限高さＨｌ」から糊箱の底部までの１．５Ｋｇの糊が糊箱に残る。
【００６３】
また、壁紙糊付機の制御部が推定している糊量の変位と実際の糊箱内の糊量の変位とに差異が生じることがあっても、糊不足に陥り壁紙の裏面に糊が適正量塗布されないことがない様にする為に、「糊切れ高さＨｅ］から糊量を１Ｋｇ増やした液面を「制御御領域下限高さＨｌ」と定めている。この１Ｋｇの糊量で長さ６．３ｍの糊付けができる。
【００６４】
また、糊過多に陥り糊が糊箱から溢れることがない様にする為に、「満タン高さＨｆ」から糊量を１Ｋｇ減じた液面を「制御領域上限高さＨｈ」と定めている。
【実施例２】
【００６５】
図８に示す本実施例は、糊補充が不足、または過多が生じた場合の処理フローを示す。
【００６６】
ホテルの大ホール等の同一階で壁紙を貼る場合で、壁紙の枚数と長さが多い現場では、数人の内装施工職人が共同で１台の壁紙糊付機を使って連続して糊付けし、糊付けする長さが、一日に２００ｍを越える場合がある。この場合、１０回以上の糊の補充を行う必要があり、１回当たりの補充誤差が蓄積されて、糊箱の中の実際の糊量と、壁紙糊付機の制御部が推定している糊量との差異が大きくなり、糊不足あるいは糊過多に陥る場合がある。
【００６７】
また、内装施行現場では、工事現場の電源（電力会社から供給されている商用電源、単相交流１００Ｖ）を、電源ケーブル延長用のドラムで引っ張り、壁紙糊付機や電気ストーブや他の電動工具を稼働させることがある。この為、壁紙糊付機及び糊供給装置に供給される電圧は８０Ｖ近くに低下することがあり、また、１２０Ｖ近くまで上昇することがある。また、同一の糊供給装置を使用して糊を補充する場合でも、糊供給装置の糊を溜める容器いっぱいに糊がある時と、底部付近まで低下してきたときとでは、単位時間あたりの補充量が変わる場合がある。
【００６８】
本実施例では、この様な要因により、壁紙糊付機の制御部内の演算部及び記憶部の糊箱内の糊の液面高さの変位（図５の変位）と、実際の糊箱内の糊の変位とに差異が生じ、図７のステップ１７で供給量の補正を実行する場合の処理を、図８の処理フローと図９、図１０を用いて説明する。
【００６９】
図８のフロー図は、糊供給装置を起動／停止させつつ、壁紙の裏面に糊を塗布していく処理を繰り返す過程で、推定している糊箱内の糊の液面高さが、図５の制御領域下限高さの位置に達した時に、糊付け途中の１枚が３００ｃｍに達した後に、糊付けする処理動作を一時中断させて、実際の糊箱内の糊の液面高さとの間に差異が生じていないかどうかを、作業者が目視確認をして、差異が生じていれば、その差異が不足であれば不足分を加算した時間だけ糊供給装置を運転させて、あるいは、その差異が過多であれば過多分を減算した時間だけ糊供給装置を運転させる様に、予め定めた糊供給装置を運転する時間を、壁紙糊付機の制御部に修正させる為の処理の流れである。
【００７０】
図７のステップ１７から、図８のステップ２１に分岐した後、糊付け途中の１枚が３００ｃｍに達した後、作業者が、糊箱内の糊の液面高さを糊箱１に設けた窓６から目視、あるいは、図７のステップ１１からステップ１６の処理を実行している最中に糊箱内の糊の液面高さを糊箱１に設けた窓６から目視確認しておいて、糊の供給状態に応じて制御装置に設けた「不足」スイッチ、「丁度よい」スイッチ、「次回に行う」スイッチ、「過多」スイッチのいずれかを押す。
【００７１】
糊不足あるいは糊過多に陥りそうになっていなければ、作業者はステップ２６で「丁度よい」スイッチを押す。「丁度よい」スイッチが押されたら、壁紙糊付機の制御部は、ステップ２７で「糊を供給した回数ｎ 」を０リセットして、ステップ２８で図８へ分岐してきた元の処理の続きへ戻る。この「糊を供給した回数ｎ 」とは、「糊付け壁紙長さＬＣ」が「糊付可能長さ（警告長さＬＫ）」と一致して、図７のステップ１４の糊補充処理を実行した回数である。この回数は、差異を細かく修正したい場合は、回数ｎ  を少なく（例えば３）、あまり細かく修正したくない場合は、回数ｎを多く（例えば５）設定すれば良い。回数ｎは制御部に設けた入力部から予め設定することができる。
【００７２】
補正を設定していて、糊不足あるいは糊過多に陥りそうになっている場合でも、作業者があと数枚の糊付けをすれば、今セットしている壁紙の原反１本を使い切るので、使い切った後、次の原反にセット替えする時に補正を行う方が作業効率が良いと考える時等に、ステップ３２の「次回に行う」スイッチを押す。
【００７３】
「次回に行う」スイッチが押されたら、壁紙糊付機の制御部は何も処理を実行しないで、この図８に分岐してきた元の処理の続きへ戻る。
【００７４】
この場合、壁紙糊付機の制御部は「糊を供給した回数ｎ 」を０リセットしないまま、図７のステップ１１へ戻り、「糊付した壁紙の長さＬＣ」が「糊付けできる長さ（警告長さＬＫ）」と一致しているが、糊の補充は行わないで、ステップ１５へ進む。
「糊を供給した回数ｎ 」が、作業者が入力部から予め設定した回数と一致したままなので、ステップ１２に戻り、次の１枚の糊付けが終われば、図７のステップ１６から再び、図８のステップ２１へ分岐してくる。
【００７５】
糊の供給不足が確認され、ステップ２２で「不足」スイッチを押した場合には、作業者が糊箱の中の糊量を目視しながら、壁紙糊付機の制御部内の「時間ＳＴ測定スイッチ」を押してから、ステップ２３で「糊供給装置の起動スイッチ」を押して、糊供給装置を起動させて、「制御領域上限高さＨｈ」まで糊を補充する為に、図６のステップ１へ分岐した後、図８のステップ２４に戻る。
【００７６】
図９のグラフは、壁紙糊付機の制御部が図５で示したグラフの様に糊供給装置を運転／停止させつつ、壁紙の裏面に糊を塗布していく処理を繰り返す過程で、「実際の糊箱内の糊の液面高さ」が、「図５のグラフで推定している糊箱内の糊の液面高さ」よりも低い状態（糊不足）に陥った場合の、「実際の糊箱内の糊の液面高さ」の変位を表している。 
「推定している糊箱内の糊の液面高さ」が図５のＰ１に達した時に、糊供給装置を（「糊供給装置を運転する時間ＳＴ」）＝１０秒の間だけ運転させて糊を補充したところ糊箱の中に残っていた糊量は、推定していた糊量よりも少なく、補充後の糊箱内部の糊量は不足し、Ｐ２の時点でも同様に糊箱内部の糊量は不足し、Ｐ３の時点ではβの量の糊が不足している場合について説明する。
【００７７】
この不足分を修正する為に、作業者は糊箱内の糊の液面の高さを目視しながら、「糊供給装置の起動スイッチ」を押して、ローラの駆動を停止させた状態で糊供給装置を起動させて、Ｑ４の高さつまり、「制御領域上限高さＨｈ」まで糊箱に糊を補充するが、その後「追加補充スイッチ（図示せず）」を押して、複数のローラーを回転させながら糊供給装置を運転させる。この時、壁紙を糊付機から外して、壁紙を糊付はしていない状態でローラーを駆動する。
【００７８】
次にステップ２４で、作業者が「糊供給装置の起動スイッチ」を押したことで壁紙糊付機の制御部は「ストップウォッチ」を起動させて、糊供給装置によって糊箱内に糊をＰ３からＱ４まで補充する。作業者は補充されている糊の液面の高さを目視しながら「制御領域上限高さＨｈ」まで糊を補充し、「制御領域上限高さＨｈ」に達した時点で「糊供給装置の起動スイッチ」を押すことにより糊供給装置を停止させ、かつ「ストップウォッチ」を停止させて、糊の補充に要した時間Ｔ１（Ｔ１＝Ｐ３からＱ４まで糊を供給する時間−１０秒で算出）を測定し（図９の糊量βを補充するための時間）、この測定した時間Ｔ１を３で割った時間（３回補充した為、１回分の値に修正する）を「糊供給装置を運転する時間ＳＴ」に加算して、Ｐ４以後に、「糊供給装置を運転する時間ＳＴ」とする。つまり、次回の補充からは、「糊供給装置を運転する時間ＳＴ」を１０秒＋Ｔ１／３秒に修正する。この補充が終わった後、壁紙を糊付ローラーに接触させて上部の蓋を閉めて次の糊付けを開始する。
【００７９】
なお、補充時において、図９のグラフの横軸は複数のローラーが回転して壁紙を搬送して壁紙に糊を塗布している状態の時だけ進ませている時間軸であるので、Ｑ４での糊の補充は壁紙を搬送していない状態で補充しているので、βの糊量を補充している時間は、グラフ上では停止している（垂直で表している）。
【００８０】
以上の説明では、作業者が「糊供給装置の起動スイッチ」を押し、壁紙糊付機の制御部は「ストップウォッチ」を起動させて、βの糊量を補充している時間を正確に測定して補正時間を決定する動作にて説明したが、この操作を何度か繰り返すと、βの糊量を補充する時間Ｔ１がどれくらいの時間になるのか作業者はおおよそ予測することができる。そのため、Ｔ１の時間を「ストップウォッチ」を起動させずに入力部から補正時間（Ｔ１）を入力すれば、補正した「糊供給装置を運転する時間ＳＴ」１０秒＋Ｔ１／３秒を算出するような機能を設けておいてもよい。このような実施形態を採用することで、壁紙を糊付けしない状態にしたり、また、壁紙に糊付するようにセットし直したりするという手間を軽減し、効率的に糊付作業ができるようになる。補正時間（Ｔ１）を入力するには、入力部において、Ｔ１を入力する画面を呼び出し、糊付する壁紙の長さを入力するための数字キーを使用して入力するように構成しておくとよい。
【００８１】
次にステップ２５で、図７のステップ１１、１２を実行し、次の壁紙に糊付けして、図８のステップ２１に戻り、「不足」スイッチ、「丁度よい」スイッチ、「次回に行う」スイッチ、「過多」スイッチのいずれかが選択されて押される。
【００８２】
図１０のグラフは、壁紙糊付機の制御部が図５で示したグラフの様に糊供給装置を運転／停止させつつ、壁紙の裏面に糊を塗布していく処理を繰り返す過程で、「実際の糊箱内の糊の液面高さ」が、「図５のグラフで推定している糊箱内の糊の液面高さ」よりも高い状態（糊過多）に陥った場合の、「実際の糊箱内の糊の液面高さ」の変位を表している。
【００８３】
「推定している糊箱内の糊の液面高さ」が図５のＰ１に達した時に、糊供給装置を「糊供給装置を運転する時間ＳＴ」の間だけ起動させて、「制御糊量」分の糊を補充したところ、糊箱の中に残っていた糊量は、推定していた糊量よりも多く、補充後の糊箱内部の糊量は多く、Ｐ２の時点でも同様に糊箱内部の糊量は多く、Ｐ３の時点ではＳＴ間だけ起動するとδだけ糊が多く補充されることとなる。
【００８４】
この過多分を修正する為に作業者は、糊箱内の糊の液面の高さを目視しながら、「糊供給装置の起動スイッチ」を押して、糊供給装置を起動させて、図１０のＱ４の高さまで、つまり、「制御領域上限高さＨｈ」まで糊箱に糊を補充させ、壁紙糊付機の制御部は「ストップウォッチ」を再び起動させて、糊をＰ３からＱ４まで補充するのに要した時間Ｔ２を測定する（図１０の糊量δを補充するための時間）。そして制御部は次に、この測定した時間Ｔ２を「糊供給装置を運転する時間ＳＴ」から減算し、３で割った時間（３回補充した為、１回分の値に修正する）を演算し、補充１回の時間に対する補正時間（１０−Ｔ２）／３を算出する。「糊供給装置を運転する時間ＳＴ」から補充１回分の補正時間を減算して、Ｐ４以後に、「糊供給装置を運転する時間ＳＴ」とする。
【００８５】
つまり、次回の補充からは、制御部は、「糊供給装置を運転する時間ＳＴ」を１０秒−（１０−Ｔ２）／３秒に修正する。
【実施例３】
【００８６】
本実施例は、壁紙に糊を塗布する動作を継続させた状態で、作業者が糊不足であるという情報を入力すれば、制御部が「糊供給装置を運転する時間ＳＴ」を自動修正して糊を補充した後、次回からの「制御領域下限高さＨｌ」を変更する方法の補正処理である。
【００８７】
図１１は、「おまかせ設定スイッチ」により、おまかせモードが設定され、壁紙糊付機の制御部が糊を補充しつつ糊付け作業を続けた場合の、実際の糊箱内の糊の液面の変位を示している。以下の説明において、図１１において点Ｐ９は「糊切れ高さＨｅ」以上で「制御領域下限高さＨｌ」以下のどこかにあり、不足している分の糊の重量は１Ｋｇであると推定し、この１Ｋｇ補充するには１．３４秒を要し、本実施例の説明ではこれを２秒と仮定する。
【００８８】
Ｑ９からＰ９の間の糊付け作業中に作業者が、糊不足の状態に陥りそうになったことに気がついて「不足スイッチ」を押すと、壁紙糊付機の制御部は、今糊付け途中の１枚が３００ｃｍに達していなくても、糊供給装置を（「糊供給装置を運転する時間ＳＴ」＝１０秒）＋２秒の１２秒間運転させて、３．６Ｋｇの糊を補充して、糊箱内部の糊の液面の高さをＱ１０の高さ（「制御領域上限高さＨｈ」まで）に戻した後、壁紙糊付機の制御部は「制御領域下限高さＨｌ」を１０％上へ移動させる。つまり、「糊切れ高さＨｅ」から１．５Ｋｇ糊量が増えた時の液面高さを「制御領域下限高さＨｌ」と定め直す。
【００８９】
言い換えれば、「制御領域上限高さＨｈ」は以前のままで「制御領域下限高さＨｌ」を１０％上へ移動させたので、Ｐ１０以後では「制御領域上限高さＨｈ」の糊量から２．５Ｋｇ減少した時（つまり、「糊切れ高さＨｅ」から１．５Ｋｇ糊が多い状態）に糊を補充していくので、Ｐ１からＰ８までの液面高さよりも、Ｐ１０からＰ１２の液面高さは上昇している。
【００９０】
図１１のグラフの右端に「余裕」と記している様に、「糊切れ高さＨｅ」からの余裕を設けた状態（Ｐ１０〜Ｐ１３）から糊を補充するので、壁紙糊付機の制御部が推定している糊の量よりも、実際の糊の量が少なくなる傾向の差異を生じる条件での糊付け作業でも、実際の糊量が「糊切れ高さＨe」よりも低くなり糊がかすれて塗布されることがない様にすることができるのである。
【００９１】
この後、Ｐ１３、Ｐ１４と続けて行く途中で、Ｐ１４の手前で再び「不足スイッチ」が押されたら、壁紙糊付機の制御部は糊供給装置を（「糊供給装置を運転する時間ＳＴ」＝１０秒）＋２秒の１２秒間運転させて３．６Ｋｇの糊を補充して、糊箱内部の糊の液面の高さをＱ１０の高さ（「制御領域上限高さＨｈ」まで）に戻した後、壁紙糊付機の制御部は「制御領域下限高さＨｌ」を更に１０％上へ移動させるとともに、Ｐ１４以後の「糊供給装置を運転する時間ＳＴも１０％増やして補充する糊量も増やす様に修正する。
【００９２】
逆に「過多スイッチ」が押された場合には、壁紙糊付機の制御部は、「制御領域下限高さＨｌ」を下へ１０％移動させて過多分を消費させた後の糊補充時に（「糊供給装置を運転する時間ＳＴ」＝１０秒）−２秒間の補充をすることにより、「制御領域上限高さＨｈ」を１０％下へ移動させた後、下へ１０％移動させていた「制御領域下限高さＨｌ」をもとの位置へ戻し、「制御領域上限高さＨｈ」から２．５Ｋｇ消費した時に補充を行う様に修正する。
【００９３】
実施例２は、差異が生じた場合に、壁紙に糊を塗布する動作が停止した状態で、作業者が供給時間の過不足値を指示して、次回の補充からは修正した「糊供給装置を運転する時間ＳＴ」分だけ糊供給装置を運転させて補充する補正処理であるが、実施例３は、差異が生じた場合に、壁紙に糊を塗布する動作を継続させた状態で、作業者が糊不足であるという情報を入力すれば、制御部が「糊供給装置を運転する時間ＳＴ」を自動修正して糊を補充した後、次回からの「制御領域下限高さＨｌ」を変更する、あるいは「制御領域上限高さＨｈ」を変更する。
【００９４】
同様の方法で、「制御領域上限高さＨｈ」を上へ「制御領域下限高さＨｌ」を上へ同時に移動させ、また、「制御領域上限高さＨｈ」を下へ「制御領域下限高さＨｌ」を下へ同時に移動させ、また、「制御領域上限高さＨｈ」を下へ「制御領域下限高さＨｌ」を上へ同時に移動させることで補正処理することができる。
【実施例４】
【００９５】
本実施例は糊供給装置の補充時間の個別設定をする方法である。
【００９６】
実施例１においては、糊箱が空の状態から「制御領域上限高さＨｈ」まで４．５Ｋｇの糊を補充する為には、１５秒間糊供給装置を運転させ、「制御領域下限高さＨｌ」から「制御領域上限高さＨｈ」までの３Ｋｇの糊を補充する為には、１０秒間糊供給装置を運転させたが、特殊な糊を使用したり、また、作業者が所有している糊供給装置が特殊であったり、極めて老朽化して単位秒間当たりの補充量が異なる場合に、「糊供給装置を運転する時間ＳＴ」を個別に設定することが必要となり、その個別設定方法を 図６のフローに沿って説明する。
【００９７】
次に本実施例における処理フローを説明する。
【００９８】
図６は、糊供給装置を起動させる時間ＳＴを得るためのフローを示す。
【００９９】
作業者が壁紙糊付機の制御部内の「時間ＳＴ測定スイッチ」を押し、ステップ１において、「糊供給装置の起動スイッチ」を押すと、壁紙糊付機の制御部は、糊供給装置を起動させ、ステップ２において、ローラーを回転させて糊供給装置を起動させ、ステップ３で糊供給装置を起動させた時間を測定する為の「ストップウォッチ」を起動させる。
【０１００】
ステップ４で糊供給装置を停止させる指令が出されていると、ステップ５で作業者が充填された糊の量を見ながら、糊箱内の糊の液面の高さが「制御領域上限高さＨｈ」に達していると、ステップ５で「糊供給装置の起動スイッチ」を再び押して糊供給装置を停止させる。この直後に、壁紙糊付機の制御部は、糊供給装置を起動させていた時間を測定する為の「ストップウォッチ」を停止させる。この時の糊箱内の糊の液面の高さは、図５グラフのＱ１の位置にある。
【０１０１】
この処理により、糊箱内の糊の液面を「制御領域下限高さＨｌ」から「制御領域上限高さＨｈ」に上昇させる為に、つまり、糊箱内に「制御糊量」に相当する量の糊を補充するために、糊供給装置が必要とする起動時間ＳＴを求めることができるので、この「ストップウォッチ」が測定した時間を壁紙糊付機の制御部に「糊供給装置を起動させる時間ＳＴ」として記憶させる。
【０１０２】
糊箱の中の糊量（液面の高さ）は、図５のグラフのＰＥ（エンプティ）の位置にある。この状態から、作業者が壁紙糊付機の制御部内の「割り込みスイッチ」を押し、ステップ２で壁紙糊付機の複数のローラーを回転させながら、「糊供給装置の起動スイッチ」を押して、糊供給装置を起動させて、糊供給装置の糊容器内の糊を壁紙糊付機の糊箱に充填していく。（ 図５のグラフのＰＥ（エンプティ）からＰ０まで）
作業者が、充填されていく糊の量を、糊箱１に設けられた窓６などから見ながら、「制御領域下限高さＨｌ」まで糊を補充した後、糊供給装置の起動スイッチを再び押して、糊供給装置を一旦停止させる。
【０１０３】
この時の液面の高さは、図５のＰ０の位置にある。
【０１０４】
次にステップ３で「時間ＳＴ測定スイッチ」を押してから、再び、「糊供給装置の起動スイッチ」を押すと、壁紙糊付機の制御部は、糊供給装置を起動させるとともに、糊供給装置を起動させている間の時間を測定する為の「ストップウォッチ」を起動させる。
【０１０５】
次にステップ４で糊箱内の糊の液面の高さが「制御領域上限高さＨｈ」に達すると、ステップ５で「糊供給装置の起動スイッチ」を再び押して糊供給装置を停止させる。この直後に、壁紙糊付機の制御部は、糊供給装置を起動させていた間の時間を測定する為の「ストップウォッチ」を停止させる。この時の糊箱内の糊の液面の高さは、図５グラフのＱ１の位置にある。
【０１０６】
この処理により、糊箱内の糊の液面は、「制御領域下限高さＨｌ」から「制御領域上限高さＨｈ」に上昇し、つまり、糊箱内に「制御糊量」に相当する量の糊を補充するために、糊供給装置が必要とする起動時間ＳＴを求めることができるので、この「ストップウォッチ機能」が測定した時間を壁紙糊付機の制御部に「糊供給装置を運転する時間ＳＴ」として記憶させる。
【０１０７】
この作業により、壁紙糊付機を工場から出荷するときに制御部に記憶させておいた標準の「糊供給装置を運転する時間ＳＴ」に変えて、作業者個々の糊付け作業条件による個別な「糊供給装置を運転する時間ＳＴ」を定めることができる。
【実施例５】
【０１０８】
本実施例は、実施例１〜４に記載した自動糊供給装置において、ドクターローラー４と糊付ローラー３との隙間を自動的に制御部が読込むことができるようにした装置に関する。
【０１０９】
図１３に示すように、ドクターローラー４の軸１３ａと同軸上に扇形の偏芯カムの第１歯車１３を設け、前記第１歯車を回転させる手回しつまみを軸支する軸１４ａに第２歯車１４を設け、前記第２歯車１４をポテンションメータ１６（回転型の抵抗器で、回転角度に比例した抵抗値が得られるもの）に取設した第３歯車１５に噛合する様に設け、ドクターローラー４と糊付ローラー３との隙間を０．０５mm〜３．０mmの範囲で設定を変化させる場合に、ポテンションメータ１６（回転型の抵抗器）が、１０度から３１０度回転する様にし（この間に得られる抵抗値の変化は１００オームから３．１Ｋオームに変化になる）、手回しつまみの停止位置に比例した抵抗値を得、壁紙糊付機の制御部がこの抵抗値の変化を電圧の変化に変換して、更にＡ／Ｄ変換することにより、隙間の０．０５mm〜３．０mmの変化に比例したデジタル値を得て、現在設定されているドクターローラー４と糊付ローラー３の間隔を自動的に読みとることができる。
【０１１０】
この様にすることにより、糊付けをする条件が、表１に定めたいずれであるか、つまり、糊の粘度は「極薄い粘度」か、あるいは、「薄い粘度」か、「濃い粘度」か、「極濃い粘度」のいずれであるかと、糊付ローラーとドクターローラーの隙間が「１．０ｍｍ」、「１．５ｍｍ」、「２．０ｍｍ」、「２．５ｍｍ」、「３．０ｍｍ」のいずれであるかと、「壁紙の幅」がいくらであるかを、壁紙糊付機の制御部の入力スイッチ（図示せず）から入力したが、糊の粘度と壁紙幅だけを入力すればよい。
【実施例６】
【０１１１】
本実施例は、実施例１〜４に記載した自動糊供給装置において、図１２に示すように壁紙の幅を読みとる手段を有している。壁紙を壁紙糊付機の中央にセットすることは壁紙糊付機を使用する上での約束事となっている。図１２では、壁紙の幅を裁断するスリッターを通過した後で、壁紙の幅を読みとる為に壁紙の有無を検知する為のセンサー１２を３個配置している。このセンサーは変調した赤外線を照射して被検知物体から反射してくる赤外線の有無により被検知物体の有無を検知するフォトマイクロセンサーである。
【０１１２】
センサー１２ａは中央から３４０ｍｍ端の位置に下向きに取り付け、センサー１２ｂは中央から３９０ｍｍ端の位置に下向きに取り付け、センサー１２ｃは中央から４４０ｍｍ端の位置に下向きに取り付けられている。
【０１１３】
センサー１２ａとセンサー１２ｂとセンサー１２ｃが物体（壁紙）を検知している時は、８８０ｍｍ〜１０００ｍｍの幅の壁紙に糊付していると判定し、センサー１２ａとセンサー１２ｂが物体を検知している時は、７８０ｍｍ〜８８０ｍｍの幅の壁紙に糊付していると判定し、センサー１２ａだけが物体（壁紙）を検知している時は、６８０ｍｍ以下の幅の壁紙に糊付していると判定する。
【０１１４】
また、設置するセンサーの数を増やせばもっと細かく壁紙の幅を読みとることができるが、この様に３段階の幅の違いを読みとるだけで十分な糊補充精度は得られる。
【０１１５】
この様にすることにより、糊付けをする条件が、表１に定めたいずれであるか、つまり、糊の粘度は「極薄い粘度」か、あるいは、「薄い粘度」か、「濃い粘度」か、「極濃い粘度」のいずれであるかと、糊付ローラーとドクターローラーの隙間が「１．０ｍｍ」、「１．５ｍｍ」、「２．０ｍｍ」、「２．５ｍｍ」、「３．０ｍｍ」のいずれであるかと、「壁紙の幅」がいくらであるかを、壁紙糊付機の制御部の入力スイッチ（図示せず）から入力したが、糊の粘度と糊付ローラーとドクターローラーの間隔の設定値だけを入力すればよい。
【図面の簡単な説明】
【０１１６】
【図１】壁紙糊付機の概要図。
【図２】糊補充時の制御領域上限高さ、下限高さを規定する説明図。
【図３】制御装置の機能ブロック図。
【図４】糊厚と糊付量の関係説明図。
【図５】糊補充における制御糊量と補充時間の関係説明図。
【図６】糊供給装置の起動時間を決めるフロー図。
【図７】制御糊量に糊補充をするフロー図。
【図８】糊補充を補正するフロー図。
【図９】糊補充時における制御糊量と補充時間の関係説明図。
【図１０】糊補充時における制御糊量と補充時間の関係説明図。
【図１１】糊補充時における制御糊量と補充時間の関係説明図。
【図１２】壁紙の幅の読み取り手段を示す概要図。
【図１３】糊厚の読み取り手段を示す概要図。
【図１４】従来の糊供給装置の動作を示す概要図。
【図１５】従来の糊供給装置を示す概要図。
【符号の説明】
【０１１７】
１  糊箱
２  糊上げローラー
３  糊付けローラー
４  ドクターローラー
５  検尺ローラー
６  窓
７  原反ロール
８  スリッター
９  送り込みローラー
１０  糊供給装置
１１  ホース
１２  センサー
１３  第１歯車
１４  第２歯車
１５  第３歯車
【図１】
2008289956.tif 000004
【図２】
2008289956.tif 000005
【図３】
2008289956.tif 000006
【図４】
2008289956.tif 000007
【図５】
2008289956.tif 000008
【図６】
2008289956.tif 000009
【図７】
2008289956.tif 000010
【図８】
2008289956.tif 000011
【図９】
2008289956.tif 000012
【図１０】
2008289956.tif 000013
【図１１】
2008289956.tif 000014
【図１２】
2008289956.tif 000015
【図１３】
2008289956.tif 000016
【図１４】
2008289956.tif 000017
【図１５】
2008289956.tif 000018